(57)【要約】      （修正有）【課題】移動式ハウスの移送・設置を迅速かつ安全に行えるようにするほか、電気配線工事を移送先で全く行うことなしに即時使用可能とする移動式ハウスを提供する。【解決手段】アームロール車の荷台に載置して移動させる移動式ハウスであって、該ハウスの底面に固定され、ハウス全体を載置するアームロール車用フレーム１と、少なくともフロアーパネル、サイドパネル及びルーフパネルを有するユニット式の単棟ハウスから成り、前記フレーム１は、ハウスを載置する長方形状の底面１ａと、該底面の一短辺から垂設されたフロント面４とを具備する断面略Ｌ字形状に成形され、前記フレームのフロント面４は、アームロール車のアーム先端部に装備されるツメに掛合するフック５と、発電機６とが設置され、前記フレームの底面には、前記フック５の下方に位置する脚部２と、該脚部２と長手方向反対に位置するローラー３とを備える。【選択図】図１
0003124731.tif 000002
【実用新案登録請求の範囲】
【請求項１】
アームロール車の荷台に載置して移動させる移動式ハウスであって、
該ハウスの底面に取付部材により固定され、ハウス全体を載置するアームロール車用フレームと、少なくともフロアーパネル、サイドパネル及びルーフパネルを有するユニット式の単棟ハウスから成り、
前記フレームは、ハウスを載置する長方形状の底面と、該底面の一短辺から垂設されたフロント面とを具備する断面略Ｌ字形状に成形され、
前記フレームのフロント面は、アームロール車のアーム先端部に装備されるツメに掛合するフックと、発電機とが設置され、
前記フレームの底面には、前記フックの下方に位置する脚部と、該脚部と長手方向反対に位置するローラーとを備え、
前記ハウスはサイドパネルに少なくとも出入口と、窓とを有し、
かつブレーカーと、コンセントと、蛍光灯とを具備することを特徴とする、移動式ハウス。
【請求項２】
前記フレームに、エアコン用の発電機と室外機とが設置され、
前記ハウスが、エアコンの室内機と換気扇とを具備することを特徴とする、請求項１に記載の移動式ハウス。
【請求項３】
前記ハウスは、その室内に一体的に備え付けられた家具を具備することを特徴とする、請求項１又は２に記載の移動式ハウス。
【考案の詳細な説明】
【技術分野】
【０００１】
本考案は、移動式ハウスに関するものであり、更に詳しくは、単棟のハウス全体がアームロール車に載置されて移動する移動式ハウスであって、運搬車両から降下させた後に組立や電気工事作業を行うことなく、即時ハウスとして使用可能な移動式ハウスに関する。
【背景技術】
【０００２】
従来、通称アームロールと呼ばれ、運搬車に属する脱着ボディシステム車がある。
アームロール車は、トラックの荷台を自力で脱着することが可能であり、コンテナと呼ばれるボディ部分がダンプ排出することもできるようになっている。
コンテナを荷台から降ろす際には、車両のアーム先端部に装備されているフック（ツメ）を、コンテナのフロントフックに引っかけて一端を持ち上げ、更に前記アームを押し出すことによって該コンテナを地面に降ろしている。コンテナ後部にはローラーが付けられており、降ろされる際に地面を引きずることはない。
利用例としては、粉粒体運搬用や、ゴミ処理のためのゴミ運搬用等が知られている。
【０００３】
一方、軽量の鉄骨等で組まれた箱形構造の建物であって、トラックによる移動が容易に行えるものにユニットハウスがある。ユニットハウスは一定規格で量産された工業化製品であり、既に組みあがった箱状のハウスを４ｔトラック車等で運搬する。
該ユニットハウスを移動・設置するためには、例えば約３ｔの吊り上げ能力を有するクレーンを装備したトラックにユニットハウスを載せ、現場まで移送する。
トラックにユニットハウスを載せる際は、該ハウスの屋根に登ってワイヤーロープを４本程度架け、クレーンで吊り上げる。又、ユニットハウスを設置する際にも、クレーンで該ハウスを吊り降ろして所定位置に設置した後、更に該ハウスの屋根に登って運搬用のワイヤーロープを外す。
【０００４】
又、小型のユニットハウスであってもブロック石を点置きする等の基礎が必要であり、該ブロック石を運搬するトラックが同行している。
【０００５】
更に、ユニットハウスの用途に応じて、蛍光灯や換気扇、エアコン等の電気製品が具備されているものもある。
【考案の開示】
【考案が解決しようとする課題】
【０００６】
第一に、ハウスを移送・設置する際にクレーンで吊る為に、該ハウスにワイヤーロープを架ける必要があるが、このワイヤーロープの架け外し作業は屋根に登って行うのであって、高所での作業には危険が伴う。
【０００７】
第二に、前述したように、ハウスの移送車の他に基礎用のブロック等を運搬するトラックが同行しているため、ハウスの設置場所には、ハウスのスペース以外に少なくとも運搬用の２台のトラックを駐車するスペースが必要となる。
【０００８】
第三に、ハウスを移送トラックから降ろす際には、まず同行したトラックから基礎用のブロック石を運び出して所定位置に並べ、かつクレーンで宙吊りされた状態の該ハウスを、基礎ブロックの位置に合わせて降ろさなければならない。
そして、クレーンによって宙吊りされたハウスは非常に不安定な状態であって、万一傾いて落下したりすれば、ハウスの吊り下げ下で作業する者にとって危険である。加えて、基礎ブロックへの位置合わせ作業は手間と時間がかかるものとなっている。
【０００９】
第四に、ハウスに前記電気製品を具備するものにあっては、当然電力を供給する手段を講じる必要があるが、これには大きく分けて２通りの手段が用いられており、一つには発電機を用いる場合と、他方には電力会社に依頼して一般電力の引き込み工事を行う場合とがある。
発電機を用いる場合には、前記同行トラックに該発電機や電気コード等も同載して現場まで運ぶ。発電機の重量にもよるが、大抵の場合ハウスと同様にワイヤーを架けて、クレーンで移動・設置しなければならない。
又、一般の電力を引く場合でも、電力会社に事前の連絡を入れ、電力の引き込み工事を依頼し、現場にて待ち合わせて工事実施してもらわなければならない。
更にハウスにおける事前の配線工事は内部配線までであって、電力の引き方に関わらず、ハウスを現場に設置した後にハウス外部における配線工事を行うことが必須となっている。
【００１０】
本考案は、上記問題点に鑑みなされたもので、ハウスの移送・設置を迅速かつ安全に行えるようにするほか、ハウスに具備した電気製品のための電気配線工事を移送先で全く行うことなしに即時使用可能とすることを目的とする。
【課題を解決するための手段】
【００１１】
上記の目的を達成するべく、本発明は以下の構成を提供する。
（１）請求項１に係る移動式ハウスは、アームロール車の荷台に載置して移動させる移動式ハウスであって、該ハウスの底面に取付部材により固定され、ハウス全体を載置するアームロール車用フレームと、少なくともフロアーパネル、サイドパネル及びルーフパネルを有するユニット式の単棟ハウスから成り、前記フレームは、ハウスを載置する長方形状の底面と、該底面の一短辺から垂設されたフロント面とを具備する断面略Ｌ字形状に成形され、前記フレームのフロント面は、アームロール車のアーム先端部に装備されるツメに掛合するフックと、発電機とが設置され、前記フレームの底面には、前記フックの下方に位置する脚部と、該脚部と長手方向反対に位置するローラーとを備え、前記ハウスはサイドパネルに少なくとも出入口と、窓とを有し、かつブレーカーと、コンセントと、蛍光灯とを具備することを特徴とする。
【００１２】
（２）請求項２に係る移動式ハウスは、請求項１に記載の移動式ハウスであって、前記フレームに、エアコン用の発電機と室外機とが設置され、前記ハウスが、エアコンの室内機と換気扇とを具備することを特徴とする。
【００１３】
（３）請求項３に係る移動式ハウスは、請求項１又は２に記載の移動式ハウスであって、前記ハウスは、その室内に一体的に備え付けられた家具を具備することを特徴とする。
【考案の効果】
【００１４】
・請求項１に係る移動式ハウスは、アームロール車の規格フレームにハウスを固定して一体化することにより、ハウスの移送手段としてアームロール車の使用を可能とするものである。従って、ハウスの移動・設置が極めて容易である。
又、アームロール車の荷台からハウスを上げ降ろす際に、人力によることがないので、設置時における作業の安全性が確保できる。
更に、ハウスに固定されたフレームに発電機を具備し、また室内にコンセントを備えているので、ハウスを目的地にて設置後、使用者がハウスで使用する電気製品のための電気配線工事を行うことなしに即時使用可能である。
【００１５】
・請求項２では、ハウスにエアコンを即時使用可能な状態で設置することができるので、季節・場所を問わず、快適にハウスを使用することが可能である。
又、エアコン用の発電機と室外機とをフレームに設置したことにより、両機の発する振動がハウス内に伝わるのを軽減することができる。
【００１６】
・請求項３では、ハウス内で使用する家具を予め装備することができるので、家具を移送する別の手段を講じる必要がなくなり、好適である。
また、家具がハウス内に一体的に設置されているため、運搬・設置の際にアームロール車のツメでハウスの一端を持ち上げられても、該家具がハウス内で倒壊する虞がない。
【考案を実施するための最良の形態】
【００１７】
以下、図面を参照して本考案に係る移動式ハウスの第１実施例を説明する。
図１は、本考案の移動式ハウスを固定するアームロール車用フレームの概略横断面図である。該フレーム１は、例えばボルト、ナット等の取付部材１６によってハウスの底面所定位置にて固定され、ハウス全体を載置するのであって、ハウスを載置する長方形状の底面１ａと、該底面１ａの一短辺から垂設されたフロント面４とから成り、断面略Ｌ字形状に成形されている。
前記フレームのフロント面４には、アームロール車のアーム先端部に装備されるツメに掛合するフック５が一体的に配設されている。又、発電機６が設置されている。
前記フレームの底面１ａには、前記フック５の下方に位置し、支柱となる脚部２と、該脚部２から長手方向反対に位置するローラー３とが配設されている。
図２にはフロント面４における発電機配置の一例を示したが、これに限られないことは言うまでもないが、発電機の設置条件都合上、その全面を被覆することは放熱不完全の虞があるため好ましくない。一方詳細な図示はしないが、発電機上部のフロント面４ａにひさし状の突設面を設けることにより、発電機が直接降雨に晒されることを防ぐことが可能である。
【００１８】
図３は、本実施例における移動式ハウス本体７の室内を示す概略断面平面図である。本体７は、フロアーパネル７ａと、サイドパネル７ｂと、図示しないルーフパネル７ｃとから成る。
サイドパネル７ｂには、出入口８と、窓９と、蛍光灯１０と、ブレーカー１１と、コンセント１２とが、各々適所に設けられている。
前記出入口８はその一例として引き戸が図示されているが、これに限られずドア方式を採用しても勿論本旨を逸脱しないものであって、更にハウス使用者の要望に応じて鍵を備えることも可能である。
【００１９】
前記窓９は、図３において前記出入口８に対面する位置に配設されているが、これに限定されるものでなく、設置箇所も２ケ所以上とすることも勿論可能である。更に、使用者のプライバシー保護の観点から、該窓９の内側に図示しないカーテン等を具備することも好適である。
又、前記蛍光灯１０と前記ブレーカー１１とコンセント１２とは、図３にその設置箇所の一例が示されているが、設置位置や箇所はこれに限られない事は言うまでもなく、特にブレーカー１１においては、室内でなく室外のエアコン室外機上方等に取り付けることも好適例の一つである。
更に、図４にアームロール車に載置された本発明の移動式ハウスの概略概念図を示すと共に、ハウス７とフレーム１との取付部材１６の取付位置一例を示した。取付部材１６の設置位置はこれに限られないことは言うまでもなく、アームロール車の車体の大きさや、フレームに対する載置ハウスの重量程度に応じて、適宜設置箇所を変更できる。
【００２０】
本考案においてハウスを設置する際には、目的地においてアームロール車を駐車し、先ずハウスを後方へスライドさせ、次にフレーム前方のフック５に図示しない車両アーム先端部に具備されているツメを引っかけて該ハウスの一端を持ち上げる。付言すれば、フレームの前方側には、その底面１ａに回転機能を有しない脚部２があるため、車両アームによって該脚部２を吊り上げる必要がある。この状態でハウスに載置固定されているフレームの後方に設けられたローラー３を接地面上に転がしながら、ハウス全体を移動させる。そして、ハウス全体がアームロール車の荷台から降車し接地した段階において、前記車両アーム先端部のツメをハウスから外し、アームロール車の車体との切り離しを完了させる。
設置後は、ローラー３が転がらないようにストッパ手段等を講じる必要はほとんどなく、支柱となる脚部２と、ハウス自体の重量によってハウスは目的地点に静止する。
【００２１】
従って、本考案によればハウスの移送・設置作業を一人の作業員で完了させることが可能となることから、移送コストの削減が期待できる。
又、設置作業には人力に因る部分がないため、従来のような危険や手間が生ぜず、作業における安全性が確保できるばかりか、所用時間も大幅に短縮可能となる。
他面では、ハウス移送用のアームロール車以外に同行する車両が一切必要ないため、経済的である。
【００２２】
本考案による移動式ハウスは出入口８の鍵を解錠すると同時に使用可能であって、室外に発電機と、室内にコンセントとを装備するものであるから、使用者が電気製品を持ち込んだ場合に配線工事を一切行うことなく、即時該電気製品を使用することができ、高度に利便性を有するものである。
【００２３】
次に図５及び図６を用いて、本考案の第２実施例について説明する。
図５は、本実施例における移動式ハウスのフロント面を示す概略平面図であり、図６は本実施例における移動式ハウスの室内を示す概略断面平面図である。
本実施例と第１実施例との相異点は、ハウス室内にエアコン室内機１３ｂ及び換気扇１４を具備し、これに伴って、前記フレームのフロント面４にエアコン用の発電機６ｂを新たに設置し、かつハウス本体サイドパネル７ｂ外部に、エアコン室外機１３ａを設置することにある。
【００２４】
ハウスの設置場所や使用季節によっては、窓９を開放するのみでは涼感が得られない場合も充分考えられる。また、本考案のハウスはアームロール車に載置される限度の比較的狭い空間であるから、寒冷地にハウス設置した場合に室内でストーブを使用すると、頻繁に空気の入れ換え作業が必要となって、好適な暖房効率が得られない場合もある。
更に、ハウス本体７をより安価に製造する目的で、ハウスには断熱材等の室温調節部材の使用がほとんどなされていない。
従って、設置場所や使用季節に因らずに、常に快適にハウスを使用する為に、本実施例ではハウス室内にエアコンと換気扇とを具備することとした。
これにより、山奥の林道に現場を持つ作業員等が本考案のハウスを使用する場合には、窓を開けて蚊等の害虫を招来することなく、エアコンを稼働することによって快適にハウスを使用できる。
【００２５】
尚、発電機６及び６ｂとして、例えばガソリンエンジン方式が採用される。ガソリンエンジンは、ディーゼルエンジンに比して振動・騒音が少なく、フレーム１に設置したとき、駆動時の振動がハウス内に伝搬されるのを最小限に抑えることができる。
【００２６】
次に、図７を用いて、本考案における第３実施例について説明する。
本実施例と前述２実施例との相違点は、ハウス室内に使用者が使用可能な家具を予め設置した点にある。
図７は、図６と同様に、本実施例における移動式ハウスの室内を示す概略断面平面図である。
【００２７】
図７において、家具の一例である机（折りたたみ式）１５は、ハウスのサイドパネル７ａに一体的に取付けられている。従って、運搬・設置の際にアームロール車のツメでハウスの一端を持ち上げられても、該家具がハウス内で倒壊する虞がない。又、折りたたみ式としたことにより、不使用時には折りたたんで収納することができるため、ハウス室内のスペースを有効に活用することができる。折りたたみ式の机の一例の設置説明斜視図を図８及び図９に示す。
【００２８】
図８は折りたたみ式机を折りたたんだ状態を示し、図９は、該机を展開して使用可能な状態を示している。図８に示すように、机１５は折りたたむと室内に約２０ｃｍ程張り出した箱状体になるので、箱内部の空間に折りたたみ式の椅子２脚程度が収容可能である。従って、椅子も机同様にハウス７に一体的に収容できることとなり、ハウスの移動時にアームロール車のアームにハウスの一端を吊り上げられて傾けられても、椅子がハウス内を滑り落ちることがなく、好適である。
図８及び図９において、Ａは掛部材であり、机１５の天板１５１が折りたたまれた際に机の脚１５２と掛け止める機能を有する。天板１５１は脚１５２に掛け止められることによって机を箱状体に形成し、箱内部に椅子等の第２の家具を収容可能な収容スペースとなる。
図９においては、掛部材Ａを机の脚１５２に設置するよう示したが、これに限られるものではなく、天板１５１側に設けて、脚１５２に引っかけて止める構造としてもよい。
【００２９】
このように、ハウス内で使用する家具を予め装備することができるので、使用者は家具を移送する別の手段を講じる必要がなくなり、好適である。
尚、机１５を設置するに伴い、机を使用する際に必要となる蛍光灯１０が、机１５に対応する所定位置に設置される。
【００３０】
尚、本実施例では家具として机を一例としたが、これに限られないことは言うまでもなく、例えば作り付けの衣装タンス等であってもよい。使用者が数日間をハウスで過ごす必要がある場合には、着替えを持参することが多いため、ハウスが衣装タンスを備えていることは非常に便利である。
【００３１】
以上より、本考案は、移送・設置が極めて迅速かつ安全に行える移動式ハウスを提供する。更にハウスに発電機を具備し、電気配線工事を移送先で全く行うことなく、電気製品を即時使用可能とするものである。
従って、例えば数日間しかハウスを利用する予定がない解体事業の従事者や、日々工事箇所を移動する道路工事事業の作業者や、前述した山奥の林道に現場を持つ作業者等にとって、迅速・安全・経済的・かつ手軽に利用できる本考案の移動式ハウスは、非常な利便性を有するものである。
【図面の簡単な説明】
【００３２】
【図１】本考案における第１実施例を説明するアームロール車用フレームの概略横断面図である
【図２】本考案における第１実施例を説明するフロント面の概略説明図である。
【図３】本考案における第１実施例を説明する概略断面平面図である。
【図４】本考案における第１実施例を説明するアームロール車に載置状態の移動式ハウスと、該ハウスを載置するフレームの概略斜視図である。
【図５】本考案における第２実施例を説明する移動式ハウスのフロント面を示す概略平面図である。
【図６】本考案における第２実施例を説明する概略断面平面図である。
【図７】本考案における第３実施例を説明する概略断面平面図である。
【図８】本考案の第３実施例における家具を説明する概略斜視図である。
【図９】本考案の第３実施例における家具の展開状態を説明する概略斜視図である。
【符号の説明】
【００３３】
１  フレーム
１ａ  底面
２  脚部
３  ローラー
４  フロント面
５  フック
６  発電機
６ｂ  発電機
７  ハウス本体
７ａ  フロアーパネル
７ｂ  サイドパネル
７ｃ  ルーフパネル
８  出入口
９  窓
１０  蛍光灯
１１  ブレーカー
１２  コンセント
１３ａ  エアコン室外機
１３ｂ  エアコン室内機
１４  換気扇
１５  家具
１６  取付部材
【図１】
0003124731.tif 000003
【図２】
0003124731.tif 000004
【図３】
0003124731.tif 000005
【図４】
0003124731.tif 000006
【図５】
0003124731.tif 000007
【図６】
0003124731.tif 000008
【図７】
0003124731.tif 000009
【図８】
0003124731.tif 000010
【図９】
0003124731.tif 000011